(57)【要約】【課題】  メガネフレームの鼻当てパットであって、メガネを掛けることで血行が良くなって目の疲れを緩和することが出来る鼻当てパットの提供。【解決手段】  樹脂製のパット表面に凹部９を形成し、該凹部９に純度が９９．９９９％のゲルマニウム石８を埋着し、ゲルマニウム石８の表面はパット表面と段差なく同一面としている。【選択図】    図１
0003119812.tif 000002
【実用新案登録請求の範囲】
【請求項１】
メガネフレームの鼻当てパットにおいて、樹脂製のパット表面に凹部を形成し、該凹部に純度が９９．９９９％のゲルマニウム石を埋着・固定し、ゲルマニウム石の表面はパット表面と段差なく同一面としたことを特徴とするメガネフレームの鼻当てパット。
【請求項２】
メガネフレームの鼻当てパットにおいて、樹脂製のパット表面に凹部を形成し、純度が９９．９９９％のゲルマニウム石を細かく粉砕し、このゲルマニウム微粒子に接着剤を混入して上記凹部に充填し、その表面はパット表面と段差なく同一面としたことを特徴とするメガネフレームの鼻当てパット。
【考案の詳細な説明】
【技術分野】
【０００１】
本考案はメガネを顔に掛けた場合に、そのフロント部を鼻に当てて支える為の鼻当てパットに関するものである。
【背景技術】
【０００２】
図４は一般的なメガネフレームを示す外観図であり、フロント部(イ)の両側にはツル(ロ)、(ロ)が折畳み出来るように取付けられている。そして、フロント部(イ)のリム(ハ)、(ハ)にはレンズが嵌められ、ツル(ロ)、(ロ)の先端部は耳に掛けられると共に、フロント部(イ)はその中央部に対を成して取付けられている鼻当てパット(二)、(二)が鼻に当って支持される。
【０００３】
鼻当てパット(二)は図５に示すごとく一般に樹脂製で概略小判形を成し、鼻に接する当り面(ホ)は滑らかな曲面となっていて、肌当りを良好ならしめた形状と成っている。そして、肌当りをさらに良くすると共に、メガネを長時間にわたって掛けていても痛みを感じないように、シリコン樹脂製の柔らかい材質を用いることも多い。
【０００４】
鼻当てパットの背面側へは止着部(ヘ)が突出し、この止着部(ヘ)はフロント部(イ)から延びる脚先端に設けている箱にネジ止めされているが、完全固定状態ではなく、鼻当てパット(ニ)の向きが変わり得るように多少のガタ付き（動き）が与えられていて、メガネを掛けた際に個人の鼻形状になじむことが出来る。
【０００５】
ところで、人の鼻の形状及び大きさは様々であるが、金属製メガネフレームの鼻当てパットではフロント部(イ)から延びる脚を調整することで、鼻当てパット(ニ)が鼻の両脇に当るようにしている。そこで、フロント部(イ)は所定の位置に保持されるが、樹脂製フレームの場合には金属製フレームに相当する脚を持たないために、鼻当てパットの位置を調整することは出来ない。
【０００６】
このように、顔に掛けたメガネが位置ズレしないように、勿論、顔から外れないように色々な工夫が成され、鼻の甲に当ってフロント部が支持される鼻当てパットの材質として柔らかいシリコン樹脂を使用したりして、滑らないように又肌当りを良好ならしめている。
【０００７】
一方、メガネを安定して掛ける以外に健康の増進を狙ったメガネフレームも製作され、例えばゲルマニウムをツルに取付けたものが知られている。ゲルマニウムにはイオン浸透効果があり、マイナス自由電子が皮膚から深く浸透し、患部を形成しているプラスイオンを中和してコリや痛みを和らげることが出来る。また、局部加温効果があり、患部周辺の温度を０．５℃〜１℃上昇させ、患部の血管を拡げて血行を増進することが出来る。さらに、ツボ圧着効果があり、患部を圧着することでツボを刺激し、関節や筋肉の痛みやコリを取ることが出来る。
【０００８】
実用新案登録第３１０５６９４号に係る「メガネフレーム」は、メガネフレームを構成する部品の皮膚と接する部分に、ゲルマニウムを該部品表面から突出した状態で取付けている。例えば、モダンに円錐形の貫通穴を設け、この穴に円錐形のゲルマニウムを嵌めると共に接着し、先端をモダン表面から突出させることで、メガネを掛けた際にゲルマニウム先端は皮膚に接する。
【０００９】
一方、ゲルマニウムを混入して血行の増進を図った鼻当てパットも知られている。この鼻当てパットはステンレス製のパットであって、ステンレスの中にゲルマニウムパウダーを混入して構成しているが、ゲルマニウムを３％以上混入した鼻当てパットは脆くなり、破損してしまう。しかも、３％程度の混入量では該ゲルマニウムの効果を得ることは出来ない。
【特許文献１】実用新案登録第３１０５６９４号に係る「メガネフレーム」
【考案の開示】
【考案が解決しようとする課題】
【００１０】
このように、ゲルマニウムを含む従来の鼻当てパットには上記のごとき問題がある。本考案が解決しようとする課題はこれら問題点であり、ゲルマニウムの効果を最大限に生かすように、しかもメガネのフロント部を支える本来の機能を失わないように構成した鼻当てパットを提供する。
【課題を解決するための手段】
【００１１】
本考案に係るメガネフレームの鼻当てパットはフロント部から延びる脚の先端に設けている箱に取付けられている。該鼻当てパットは樹脂製のパットにメタル芯を埋着して構成され、該メタル芯から背面には止着片が突出している。この止着片には小さな穴が貫通して設けられ、この穴にはネジが挿通して箱に取付けられる。すなわち、箱空間には止着片を嵌めた状態でネジ止めされる。しかし、止着片をパットと一体的に成形する場合には上記メタル芯は不要となる。
【００１２】
ところで、パット表面には凹部を設け、この凹部にはゲルマニウム石を嵌めて固着され、パット表面から突出しないで同一面としている。しかも、該ゲルマニウム石はその純度が９９．９９９％以上のものが使用される。そして、パットの材質として硬質樹脂を用いて成形したもの、軟質樹脂を用いて成形したもの、さらには柔軟なシリコン樹脂を用いたものがあり、本考案では何れのパット材質でもよい。
【００１３】
一方、本考案の鼻当てパットは金属製メガネフレームに限らず、樹脂製のメガネフレームも対象とする。そこで、鼻当てパットがフロント部と一体的に成形される場合であっても、該鼻当てパットの表面に凹部を形成し、該凹部には純度が９９．９９９％以上のゲルマニウム石を嵌めて固着する。
【考案の効果】
【００１４】
本考案に係るメガネフレームの鼻当てパットはゲルマニウムを備えている為に、メガネを掛けるだけで、イオン浸透効果、局所加温効果、及びツボ圧着効果を得ることが出来る。そして、該ゲルマニウムは樹脂製パットに埋着されている為に離脱することはなく、パット表面から突出しないで同一面と成っているために、メガネを掛ける際に痛みを覚えることはない。純度９９．９９９％のゲルマニウムを鼻当てパットの表面に取付けているために、メガネを掛けることで鼻の両脇の血行がよくなり、イオン浸透効果、局所加温効果にて目の疲れを緩和することが出来る。
【実施例】
【００１５】
図１は本考案に係る鼻当てパット１を示す実施例である。鼻当てパット１は同図に示しているように、樹脂製のパット２と金属製のパット芯３から成り、パット２はその形状を概略楕円形とし、表面４は滑らかな凸状曲面を形成している。パット芯３はパット２に埋着されて、背面５にはフロント部から延びる脚先端に取付けられる止着片６を突出している。
【００１６】
上記止着片６には小さな穴７が貫通して設けられ、メガネのフロント部から湾曲して延びる脚先端には箱がロウ付けされている。この箱の空間に該止着片を嵌め、この状態で穴７にネジを挿通して取付けられる。この場合、ネジは穴よりある程度細く成っているために、箱に取付けられた鼻当てパット１はその向きを多少変えることが出来る。すなわち、僅かなアガキを有している為にメガネを掛けた際に、個人の色々な鼻両脇になじむことが出来る。
【００１７】
ところで、本考案の鼻当てパット１にはパット表面４にゲルマニウム石を埋着ンしている。表面４には凹部９が形成され、すなわち、該凹部９をパット２と同時に成形し、この凹部９にゲルマニウム石８を嵌めて接着剤にて固着される。凹部９に嵌って固着されたゲルマニウム石８は、その表面がパット表面４と同一面とし、パット２が鼻に接すると同時にゲルマニウム石８の表面が肌に接することが出来る。
【００１８】
上記ゲルマニウム石８は概略円盤形を成し、円形の凹部９に嵌って固着される。ここで、上記ゲルマニウム石８は純度がほぼ１００％、例えば９９．９９９％のゲルマニウム石が使用され、このゲルマニウム石を図２に示すような概略円盤状に加工される。一方、ゲルマニウム石を細かく砕いたゲルマニウム粒子やゲルマニウムパウダーとし、このゲルマニウム粒子などをエポキシ樹脂にて固め、上記ゲルマニウムピースを形成することも出来る。
【００１９】
また、ゲルマニウムピースとして固めることなく、半液状のエポキシ樹脂にゲルマニウム粒子を混合し、このエポキシ樹脂をパット表面４に形成した凹部９に流し込んで充填し、これを硬化することも可能である。何れの方法で作られた場合であっても構わないが、該ゲルマニウム石８を埋着することで、この鼻当てパット１を備えたメガネを掛けることでゲルマニウムの効果を得ることが出来る。すなわち、該ゲルマニウムはイオン浸透効果があり、マイナス自由電子が皮膚から深く浸透して患部を形成しているプラスイオンを中和することで目の充血や疲れを和らげることが出来る。さらに、局部加温効果があり、患部周辺の温度を０．５℃〜１℃上昇させて患部の血管を拡げて血行を増進することが出来る。
【００２０】
図３は本考案に係る鼻当てパット１を示す別形態である。同図の鼻当てパット１は前記図１の鼻当てパット１とは異なり、パット芯３を有しておらず、止着片１１はパット１０と一体的に成形されている。ここで、パット２，１０の材質は樹脂製であるが、硬質樹脂であったり、軟質樹脂であったり、又は柔らかいシリコン樹脂を使用することもある。
【００２１】
一方、本考案の鼻当てパットは樹脂製フロント部と同時一体成形される場合もある。この樹脂製フロント部では、鼻当てパットがリムの一部に内側へ突出した状態で形成され、パット表面には凹部９が設けられる。そして該凹部９には図２に示すようにゲルマニウム石８が嵌って固着され、ゲルマニウム石８の効果を得ることが出来る。
【図面の簡単な説明】
【００２２】
【図１】本考案の鼻当てパット。
【図２】パット表面に形成した凹部にゲルマニウム石を嵌める場合。
【図３】鼻当てパットの他の具体例。
【図４】従来の一般的な金属製メガネフレーム。
【図５】従来の鼻当てパット。
【符号の説明】
【００２３】
１  鼻当てパット
２  パット
３  パット芯
４  表面
５  背面
６  止着片
７  穴
８  ゲルマニウム石
９  凹部
10  パット
11  止着片
【図１】
0003119812.tif 000003
【図２】
0003119812.tif 000004
【図３】
0003119812.tif 000005
【図４】
0003119812.tif 000006
【図５】
0003119812.tif 000007